(57)【特許請求の範囲】
【請求項１】
第１のディスクより音声データを読み出して、ディスクダビング側に設けられた第２のディスクにアナログダビングすると共に、第１のディスクよりＴＯＣデータを読み出してフラグ情報を生成し、その後、上記第２のディスクからアナログダビングされた音声データを読み出すと共に、上記第１のディスクのフラグ情報で指定される各アドレスから上記音声データを順次イントロ再生し、当該イントロ再生中、トラックナンバーを付与するエンターキーの操作に従って、上記各アドレスにトラックナンバーを順次付与するディスク装置において、
アドレスデータを修正して再生開始位置を微調整するカーソルキーを有し、
当該イントロ再生中に、上記カーソルキーが操作されて再生開始位置を各トラックの先頭位置に移動されることにより、当該トラックの先頭位置から再び音声データをイントロ再生し、上記エンターキーの操作に従って、上記各アドレスにトラックナンバーを付与するようにしたことを特徴とするディスク装置。
【請求項２】
上記ＴＯＣデータに含まれる文字データをトラックナンバー付与後に上記第２のディスクに記録するようにした
ことを特徴とする請求項１記載のディスク装置。
【発明の詳細な説明】
【０００１】
【発明の属する技術分野】
この発明は、ディスク装置に関する。詳しくは、第１のディスクより読み出された音声データがディスクダビング側に設けられた第２のディスクにアナログダビングされた後に、第２のディスクを第１のディスクのフラグ情報で指定される各アドレスから順次イントロ再生しながら、第２のディスクの各アドレスにエンターキーでトラックナンバーを順次付与するようにしたもので、音声データと共にトラックナンバーを簡単にダビングできるようにしたものである。
【０００２】
【従来の技術】
従来、ミニディスク（以下、「ＭＤ」という）より音声データを再生するディスク装置（ＭＤ再生装置）や、録再用ＭＤに音声データを記録することも可能なディスク装置（ＭＤ録再装置）が提案されている。録再用ＭＤには従来周知のようにＡＴＲＡＣ（Adaptive Transform Acoustic Coding）と称される音声信号圧縮技術によって約１／５にデータ量が圧縮された状態で音声データの記録が行われる。
【０００３】
再生用ＭＤには、ＴＯＣ（Table of Contents）データとして、トラック数などのトラックデータや、各トラックのスタートアドレス及びエンドアドレスなどのアドレスデータ、そしてディスク名やトラック名などの文字データが記録されている。録再用ＭＤには、録音時にこれらのＴＯＣデータが初めて記録される。
【０００４】
図４（ａ）及び図４（ｂ）にＭＤのエリア区分とＴＯＣデータが記録されるエリアのセクタ区分を示す。
【０００５】
図４（ａ）において、再生専用ＭＤは、ＴＯＣエリア（リードインエリア）、音声データエリア及びリードアウトエリアに区分され、ＴＯＣデータはＴＯＣエリアに記録されている。一方、録再用ＭＤは、リードインエリア、ＵＴＯＣエリア（ユーザＴＯＣエリア）、音声データエリア及びリードアウトエリアに区分され、ＴＯＣエリアからリードされたＴＯＣデータはＵＴＯＣエリアに再記録される。
【０００６】
また、ＴＯＣエリア及びＵＴＯＣエリアは、図４（ｂ）に示すようにそれぞれ複数のセクタから構成される。セクタ０には、ファーストＴＮＯ、ラストＴＮＯなどのトラックデータや、スタートアドレスやエンドアドレスなどの各トラックのアドレスデータが記録される。セクタ１及びセクタ４にはディスク名や各トラック名などの文字データが記録される。
【０００７】
【発明が解決しようとする課題】
ところで、ＭＤ再生装置とＭＤ録再装置とを接続し、ＭＤ再生装置（マスター側）で再生するＭＤのデジタル音声データをアナログ信号に変換した後、デジタル信号に再変換して、ＭＤ録再装置（スレーブ側）にセットした録再用ＭＤにアナログダビングする場合、ダビングできるのは音声データのみであるから、デジタルコードデータであるＴＯＣデータについてはダビングすることはできない。その結果、ＴＯＣデータがないために、マスター側で複数のトラックからなるものでも、スレーブ側では１トラックとして取り扱われてしまう。これは、ＴＯＣデータに含まれるトラックデータやアドレスデータに基づいてトラック番号などを判断することから、ＴＯＣデータがないと、あたかも一本のトラックとして取り扱われてしまうからである。
【０００８】
ＴＯＣデータを記録できないために、スレーブ側ＭＤでもマスター側ＭＤと同じトラックとして区切るためには、ユーザが手作業でＴＯＣデータを作成する必要がある。例えば、音声データのダビング中でマスター側ＭＤの各トラックの先頭が再生されたときに、ユーザがＴＯＣデータ作成用のマーカー信号をスレーブ側ＭＤに打ち込んだり、スレーブ側ＭＤを全曲再生してその間にマーカー信号の打ち込み作業を行う必要がある。しかし、これらの方法では相当の時間や労力を要することになる。
【０００９】
この問題を解決するために、入力音声信号が所定時間以上に渡り規定レベル以下（無音部）になったことを検知するＬＥＶＥＬ  ＳＹＮＣ（レベル・シンク）機能を備えたＭＤ録再装置がある。無音部とトラック間の区切りが一致するＭＤをアナログダビングするときには、このレベル・シンク機能を利用してトラック番号を自動的に生成して記録することができ、マスター側と同じトラックとして区切ることができる。
【００１０】
しかし、このレベル・シンク機能を用いても、例えばクラシックのように切れ目なく次の楽章に続くような音声データをアナログダビングするときには、楽章と楽章との間に無音部分がないため、各楽章の切れ目を検出できず、これら楽章間にトラック番号を打ち込むことができない。そのため、複数のトラックからなるものが１トラックとして取り扱われてしまうこととなり、特定の楽章を指定して再生できなくなってしまう。フェイドアウトしながら次のトラックに移行するようなソースについても同様である。また、マスター側ＭＤのトラック間の区切りに無音部が必ずあったとしても、それが規定時間（例えば３秒間）以下であるときにもトラック番号を打ち込めない。
【００１１】
また、無音部が規定時間以上続くときには、トラックの区切りでないところでもスレーブ側ではトラックを区切ってしまうので、１トラックからなるものが逆に複数のトラックとして扱われることとなってしまう。
【００１２】
このように、アナログダビングの場合では、レベル・シンク機能を用いても、マスター側ＭＤの音声データの内容（無音部とトラックの区切りの対応）によっては、スレーブ側ＭＤでマスター側と同じトラックで区切ることができないおそれがあった。
【００１３】
そこで、この発明は、ディスク間で音声データをアナログダビングする場合、音声データの内容に関係なく、マスター側ディスクと同じトラックナンバーをスレーブ側ディスクに付与することができるディスク装置を提供するものである。
【００１４】
【課題を解決するための手段】
この発明に係るディスク装置は、第１のディスクより音声データを読み出して、ディスクダビング側に設けられた第２のディスクにアナログダビングすると共に、第１のディスクよりＴＯＣデータを読み出してフラグ情報を生成し、その後、上記第２のディスクからアナログダビングされた音声データを読み出すと共に、上記第１のディスクのフラグ情報で指定される各アドレスから上記音声データを順次イントロ再生し、当該イントロ再生中、トラックナンバーを付与するエンターキーの操作に従って、上記各アドレスにトラックナンバーを順次付与するディスク装置において、アドレスデータを修正して再生開始位置を微調整するカーソルキーを有し、当該イントロ再生中に、上記カーソルキーが操作されて再生開始位置を各トラックの先頭位置に移動されることにより、当該トラックの先頭位置から再び音声データをイントロ再生し、上記エンターキーの操作に従って、上記各アドレスにトラックナンバーを付与するようにしたことを特徴とするものである。
【００１５】
フラグ情報は、第１のディスクより読み出されたＴＯＣデータに基づいて生成され、アナログ変換されずにデジタルデータのまま例えば、メモリ手段に格納される。第１のディスクより読み出された音声データは、ディスクダビング側に設けられた第２のディスクにアナログダビングされる。この後、ダビングされた音声は第２のディスクより読み出されて、メモリ手段に格納されフラグ情報で指定された各アドレスから順次イントロ再生され、この再生内容を有効とするときにはイントロ再生中にエンターキーを操作することによって、第２のディスクの各アドレスにトラックナンバーが順次付与される。これを前提にして、当該イントロ再生中に、カーソルキーが操作されて再生開始位置を各トラックの先頭位置に移動されることにより、当該トラックの先頭位置から再び音声データをイントロ再生し、エンターキーの操作に従って、各アドレスにトラックナンバーを付与するようになされる。
【００１６】
よって、第１のディスクの音声データの内容に関係なく、第１のディスクのフラグ情報により指定されるアドレスを微調整することができ、修正されたアドレスに第１のディスク側と同じトラックナンバーを短時間かつ簡単に付与することができる。したがって、第１のディスクのフラグ情報で指定されるアドレスによっては、第２のディスクで各トラックの先頭から正確に音声データを再生できなくなるような場合であっても、第２のディスクに正確なアドレスデータを記録できるようになる。しかも、ユーザは第２のディスクでも、第１のディスク側と同じトラックナンバーを利用した様々な機能を享受することができる。
【００１７】
【発明の実施の形態】
以下、この発明の実施の形態としてのＭＤ録再装置２００について、図１以下を参照して説明する。図１は、ＭＤ再生装置１００及びＭＤ録再装置２００を示す。
【００１８】
図１において、第１のディスクとしてのＭＤ１を再生するＭＤ再生装置１００は、光ピックアップ２、ＲＦアンプ部３、デコーダ４、メモリコントローラ５、ＤＲＡＭ６、デコーダ７、Ｄ／Ａコンバータ８、ＳＲＡＭ９、システムコントローラ１０及び切替スイッチＳＷ１，ＳＷ２を有する。
【００１９】
光ピックアップ２を構成する複数の光検出器（図示せず）の出力信号は、ＲＦアンプ部３に供給される。このＲＦアンプ部３より得られるトラッキングエラー信号及びフォーカスエラー信号はサーボ制御回路（図示せず）に供給され、そのサーボ制御回路によって光ピックアップ２のトラッキングサーボ及びフォーカスサーボ、さらに光ピックアップ２を所定位置に移動する送りモータやスピンドルモータの回転も制御される。
【００２０】
ＲＦアンプ部３より得られるＭＤ１の再生ＲＦ信号はＥＦＭとＣＩＲＣのデコーダ４に供給され、復調処理が行われると共に誤り訂正処理が行われる。このデコーダ４で誤り訂正されたデータの中で音声データに係る圧縮符号化データは、メモリコントローラ５を介してＤＲＡＭ６に一時格納される。このＤＲＡＭ６に格納された圧縮符号化音声データはメモリコントローラ５で順次読み出され、切替スイッチＳＷ１の可動端子ａがｂ側に接続されるとデコーダ７に供給されて伸張復号化処理される。デコーダ７より出力される線形なデジタル音声データは、切替スイッチＳＷ２の可動端子ｄがｅ側に接続されるとＤ／Ａコンバータ８に供給されてアナログ音声信号に変換され、アナログ出力端子１１に導出される。一方、切替スイッチＳＷ２の可動端子ｄがｆ側に接続されるとデジタル音声データはＤ／Ａ変換されずにそのままの形態でデジタル出力端子１２に導出される。
【００２１】
デコーダ４で誤り訂正されたデータで、ＭＤ１のＴＯＣエリア又はＵＴＯＣエリアに記録された音声データに係るＴＯＣデータは、メモリコントローラ５を介してＳＲＡＭ９に格納される。このＴＯＣデータのＳＲＡＭ９への格納は音声データ読み込み前に行われる。切替スイッチＳＷ１の可動端子ａがｃ側に接続されると、ＳＲＡＭ９に格納されたＴＯＣデータは、メモリコントローラ５を介して読み出されてデジタルデータとしてデジタル出力端子１２に導出される。
【００２２】
上述したデコーダ４、メモリコントローラ５及び切替スイッチＳＷ１，ＳＷ２の動作は、マイコンを含むシステムコントローラ１０によって制御される。
【００２３】
第２のディスクとしてのＭＤ２０の記録／再生を行うＭＤ録再装置２００は、Ａ／Ｄコンバータ２１、エンコーダ／デコーダ２２、メモリコントローラ２３、ＤＲＡＭ２４、ＳＲＡＭ２５、エンコーダ／デコーダ２６、システムコントローラ２７、ヘッド駆動回路２８、磁気ヘッド２９及び切替スイッチＳＷ３，ＳＷ４を有する。
【００２４】
ＭＤ再生装置１００のアナログ出力端子１１より出力されるアナログ音声信号は、アナログコード４０を介してＭＤ録再装置２００のアナログ入力端子３１に供給されて、Ａ／Ｄコンバータ２１で線形なデジタル音声データに変換される。このデジタル音声データは、切替スイッチＳＷ３，ＳＷ４の可動端子ｇ，ｊがそれぞれｈ側、ｋ側に接続されることで、圧縮伸張のエンコーダ／デコーダ２２に供給されてＡＴＲＡＣ方式の圧縮符号化などのエンコード処理された後、メモリコントローラ２３を介してＤＲＡＭ２４に格納される。
【００２５】
また、ＭＤ再生装置１００のデジタル出力端子１２より出力されるデジタル音声データは、光コード（光ケーブル）５０を介してＭＤ録再装置２００のデジタル入力端子３２に供給され、切替スイッチＳＷ３，ＳＷ４の可動端子ｇ，ｊがそれぞれｉ側、ｋ側に接続されることでエンコーダ／デコーダ２２でエンコード処理された後、ＤＲＡＭ２４に供給される。
【００２６】
ＤＲＡＭ２４に格納された音声信号に係る圧縮符号化データはメモリコントローラ２３を介して順次読み出されてＥＦＭとＣＩＲＣのエンコーダ／デコーダ２６に供給されて、誤り訂正処理のためのエンコード処理されると共に変調処理される。
【００２７】
エンコーダ／デコーダ２６より出力される記録音声データはヘッド駆動回路２８に供給される。これにより、磁気ヘッド２９の出力磁界が記録音声データによって変調され、光ピックアップ３３からのレーザ光との共働でもって、記録音声データが録再用ＭＤ２０に磁界変調記録される。
【００２８】
上述したメモリコントローラ２３及びエンコーダ／デコーダ２６の動作は、マイコンを含むステムコントローラ２７によって制御される。
【００２９】
ＭＤ録再装置２００は、さらに光ピックアップ３３及びＲＦアンプ部３４を有する。再生時には、ＭＤ２０に記録された音声データが光ピックアップ３３によって検出され、その出力信号がＲＦアンプ部３４に供給される。そして、エンコーダ／デコーダ２６で復調処理や誤り訂正処理されてＤＲＡＭ２４に一時格納された圧縮符号化音声データは、メモリコントローラ２３を介して読み出され、システムコントローラ２７の制御によって切替スイッチＳＷ４の可動端子ｊがｋ側に接続されることでエンコーダ／デコーダ２２で伸張復号化処理される。そしてその音声が図示しないスピーカより出力される。
【００３０】
システムコントローラ２７には、ユーザが種々の操作を行うための操作キー部３５が接続されると共に、この操作キー部３５による操作手順やシステムの状態などが表示される表示器３６が接続される。操作キー部３５には、後述するエンターキー、スキップキーやカーソルキーなども配設される。ＭＤ２０の再生中にエンターキーが押されると、押された位置をスタートアドレスとしてトラックナンバーが付与される。スキップキーが押されると、再生が中止されて次のトラックにジャンプして再生が再開される。また、カーソルキーはアドレスデータを修正して再生開始位置を微調整するものである。
【００３１】
以上の構成において、ＭＤ１に記録された音声データ及びＴＯＣデータのダビングの手順を図面に基づいて説明する。図２及び図３はダビングモード時のシステムコントローラ１０，２７及びメモリコントローラ５，２３の制御動作を示すフローチャートである。
【００３２】
操作キー部３５が操作されてダビングモードに設定されると、マスター側のメディアがスレーブ側のメディアと同一であるか否かがＭＤ録再装置２００のシステムコントローラ２７で判定され（ステップＳＴ１）、同一でないと判定されるときはステップＳＴ１０１に進んで、ダビングモードを、音声データのみをダビングするモードに変更することが表示器３６に表示され、ステップＳＴ１０２に進んで音声データがマスターディスクＭＤ１からスレーブディスクＭＤ２０にダビングされる。
【００３３】
ステップＳＴ１で同一メディアであると判定されるときは、ステップＳＴ２に進んでアナログダビングするか又はデジタルダビングするかが判定される。操作キー部３５が操作されてデジタルダビングをするように指定されたときは、ＳＲＡＭ９に格納されたＭＤ１のＴＯＣデータの中からダビングの許可・不許可に関するデータがメモリコントローラ５を介して読み出されて、デジタルダビングが可能か否かが判定される。デジタルダビングが可能であると判定されるときは、ステップＳＴ２０１に進んで音声データがデジタルダビングされた後、ステップＳＴ２０２に進んで、ＳＲＡＭ９に格納されたＭＤ１のＴＯＣデータが、光コード５０を介して録再装置２００にデジタル伝送されてＭＤ２０にダビングされる。
【００３４】
ただし、周知のように、ＳＣＭＳ（シリアル・コピー・マネージメント・システム）の制限によって、デジタルダビングでは一回しかシリアルコピーできない。よって、二回目以降のシリアルコピーで、音声データとＴＯＣデータを共にダビングするためには後述するアナログダビングしなければならない。
【００３５】
以下、ステップＳＴ２で、アナログダビングが選択された場合について説明する。
【００３６】
まず、切替スイッチＳＷ１，ＳＷ２の各可動端子ａ，ｄがそれぞれｂ，ｅ側に接続され、ＤＲＡＭ６に一時的に格納された圧縮符号化音声データが、メモリコントローラ５を介してデコーダ７に供給されて伸張処理や復号処理された後、Ｄ／Ａコンバータ８でアナログ音声信号に変換されてアナログ出力端子１１に導出される（ステップＳＴ３）。
【００３７】
このアナログ音声信号は、アナログコード４０を介してＭＤ録再装置２００のアナログ入力端子３１に供給される。そして、Ａ／Ｄコンバータ２１で線形なデジタル音声データに変換された後、切替スイッチＳＷ３の可動端子ｇがｈ側に接続されることでエンコーダ／デコーダ２２で圧縮符号化される（ステップＳＴ４）。
【００３８】
圧縮符号化されたデジタル音声データは、切替スイッチＳＷ４の可動端子ｊがｋ側に接続されることによりメモリコントローラ２３及びＤＲＡＭ２４を介してエンコーダ／デコーダ２６に供給されて、誤り訂正処理のためのエンコード処理及び変調処理が施された後、ヘッド駆動回路２８を介して磁気ヘッド２９でもって順次ＭＤ２０に磁気変調記録される（ステップＳＴ５）。ステップＳＴ３〜ステップＳＴ５までの動作はステップＳＴ６でマスター側のＭＤ１の音声データが全てダビングされたと判定されるまで続けられる。
【００３９】
ステップＳＴ６で音声ダビングが終了したと判定されると、ＭＤ再生装置１００のＳＲＡＭ９に格納されたＭＤ１のＴＯＣデータがメモリコントローラ５を介して順次読み出される。それに基づいて、各トラックのフラグ情報（ＭＳ（Music Search）信号）が生成される。そして、システムコントローラ１０の制御によって切替スイッチＳＷ１の可動端子ａがｃ側に接続されることにより、フラグ情報ＭＳが光コード５０を介してＭＤ録再装置２００側に伝送される。このフラグ情報ＭＳは、システムコントローラ２７の制御によって切替スイッチＳＷ４の可動端子ｊがｌ側に接続されることにより、メモリコントローラ２３を介してメモリ手段としてのＳＲＡＭ２５に順次格納される（ステップＳＴ７）。
【００４０】
続いて、ＳＲＡＭ２５より、フラグ情報ＭＳがメモリコントローラ２３を介して読み出され（ステップＳＴ８，ＳＴ９）、そのフラグ情報ＭＳの示すアドレスから、ＭＤ２０の音声データが光ピックアップ３３で検索される。そして、システムコントローラ２７の制御によって切替スイッチＳＷ４の可動端子ｊがｋ側に接続され、エンコーダ／デコーダ２２でデコード処理されてその音声が３秒間スピーカより出力される（ステップＳＴ１０）。
【００４１】
スピーカより出力される音声をユーザが聴いてマスター側のＭＤ１の第１トラックの先頭から正しく再生されていると判断してエンターキーを押した場合（ステップＳＴ１１）は、磁気ヘッド２９でもってＭＤ２０のＵＴＯＣエリアの対応箇所にフラグ情報ＭＳで指定されるアドレスデータが記録され（ステップＳＴ１２）、ステップＳＴ１３に進む。
【００４２】
ステップ１３では、ステップＳＴ１０で再生されたトラック（この場合、第１トラック）が最終トラックであるか否かがフラグ情報ＭＳに基づいて判定される。最終トラックでないと判定されるときは、ステップＳＴ１４に進んでステップＳＴ１０で再生するトラックが次トラック（第２のトラック）に変更され、再生トラックが最終トラックであるとステップＳＴ１３で判定されるまでステップＳＴ９〜ステップＳＴ１３までの各動作が続けられる。ステップＳＴ１３で再生トラックが最終トラックであると判定されるときは、このダビングモードから抜けることになる。
【００４３】
ステップＳＴ１１でエンターキーが押されなかったと判定される場合には、ステップＳＴ１５に進んでスキップキーが押されたか否かが判定され、スキップキーが押されたと判定されるときはステップＳＴ１２に進む。一方、スキップキーが押されなかったと判定されるときは、ステップ１６に進んで、ユーザによってカーソルキーが操作されたか否かが判定される。カーソルキーが操作されたと判定されるときはステップＳＴ１７に進み、操作されていないと判定されるときはステップＳＴ１０からの処理を再び繰り返す。
【００４４】
ステップＳＴ１７では、ステップＳＴ１０で再生する第Ｎトラックのフラグ情報ＭＳで指定されるアドレスが、カーソルキーの移動に合わせて修正される。そして、ステップＳＴ１０からの処理が再び繰り返される。
【００４５】
以上説明したように本実施の形態においては、ダビングモードでは、ＭＤ再生装置１００にセットされたマスター側のディスクＭＤ１の音声データがＭＤ録再装置２００にセットされたスレーブ側ディスクＭＤ２０にアナログダビングされた後、マスター側のＳＲＡＭ９に格納されたＭＤ１のＴＯＣデータに基づいてフラグ情報が生成され、音声圧縮伸張や変調・復調のデコーダ・エンコーダ７，２２を介さずにデジタルデータのままスレーブ側のＳＲＡＭ２５に伝送されて格納される。そしてフラグ情報ＭＳの示すアドレスからＭＤ２０の各トラックが順次イントロ再生される。再生中にトラック分割用のエンターキーが押されると、ＭＤ２０にそのフラグ情報で指定されるアドレスデータが記録され、ＭＤ１と同じトラックナンバーが付与される。
【００４６】
また、再生中にユーザがカーソルキーを各トラックの先頭位置に移動することにより各フラグ情報ＭＳで指定されるアドレスの微調整が行われる。よって、その位置から音声データを再びイントロ再生してユーザがエンターキーを操作することにより、修正されたアドレスにトラックナンバーを付与することができる。したがって、マスター側のディスクＭＤ１のフラグ情報ＭＳで指定されるアドレスによって、スレーブ側のディスクＭＤ２０が各トラックの先頭から正確に再生できなかったとしても、正確なアドレスデータがスレーブ側のディスクＭＤ２０のＵＴＯＣエリアに記録される。
【００４７】
なお、本実施の形態において、フラグ情報ＭＳのメモリ手段としてＳＲＡＭ２５を用いたが、フラッシュメモリやＤＲＡＭなどの他のメモリを用いてもよい。また、ＭＤ再生装置１００のＳＲＡＭ９に格納されたＭＤ１のＴＯＣデータの中で文字データを光コードを介してＭＤ録再装置２００に伝送してＳＲＡＭ２５に格納し、アドレスデータのダビング終了後に読み出してＭＤ２０のＵＴＯＣエリアにダビングするようにしてもよい。
【００４８】
また、本実施の形態においては、ダビングモード中にカーソルキーを用いて各トラックの先頭アドレスを微調整する例を示したが、このような調整はダビングモード終了後に行うようにして、ダビングモード時にはおおよそのトラック開始位置（アドレスデータＡｄｄＮ）を仮に記録するようにしてもよい。これによって、ダビングモード時の作業が更に簡単になる。
【００４９】
また、マスター側ディスクとして、文字や記号などが記録されているものを用いたり、スレーブディスクとして記録が可能なものを用いれば、他の光磁気ディスク（ＭＯ）、フロッピーディスク（ＦＤ）、ディジタルビデオディスク（ＤＶＤ）などにも本発明は適用できる。
【００５０】
【発明の効果】
この発明によれば、第１のディスクから第２のディスクに音声データをアナログダビングする場合に、第２のディスクから読み出した音声データに基づくイントロ再生中に、カーソルキーが操作されて再生開始位置を各トラックの先頭位置に移動されることによって、第１のディスクのフラグ情報で指定されるアドレスから音声データを再度イントロ再生し、当該イントロ再生中、エンターキーの操作に従って、第２のディスクでフラグ情報により指定されるアドレスにトラックナンバーを付与するようにしたものである。
【００５１】
この構成によって、第１のディスクの音声データの内容に関係なく、第１のディスクのフラグ情報により指定されるアドレスを微調整することができ、修正されたアドレスに第１のディスク側と同じトラックナンバーを短時間かつ簡単に付与することができる。したがって、第１のディスクのフラグ情報で指定されるアドレスによっては、第２のディスクで各トラックの先頭から正確に音声データを再生できなくなるような場合であっても、第２のディスクに正確なアドレスデータを記録できるようになる。しかも、ユーザは第２のディスクでも、第１のディスク側と同じトラックナンバーを利用した様々な機能を享受することができるという顕著な効果を奏する。
【図面の簡単な説明】
【図１】本発明の実施の形態の構成を示す図である。
【図２】ダビングモード時の制御ルーチンを示すフローチャートである。
【図３】ダビングモード時の制御ルーチンを示すフローチャートである。
【図４】ミニディスクのエリア区分を示す図である。
【符号の説明】
１  ミニディスク
２，３３  光ピックアップ
３，３４  ＲＦアンプ部
４  ＥＦＭとＣＩＲＣのデコーダ
５，２３  メモリコントローラ
６，２４  ＤＲＡＭ
７  音声伸張のデコーダ
８  Ｄ／Ａコンバータ
９，２５  ＳＲＡＭ
１０，２７  システムコントローラ
１１  アナログ出力端子
１２  デジタル出力端子
２０  録再用ミニディスク
２１  Ａ／Ｄコンバータ
２２  音声圧縮伸張のエンコーダ／デコーダ
２６  ＥＦＭとＣＩＲＣのエンコーダ／デコーダ
２８  ヘッド駆動回路
２９  磁気ヘッド
３１  アナログ入力端子
３２  デジタル入力端子
３３  光ピックアップ
３５  操作キー部
３６  表示器
４０  光コード
５０  アナログコード
１００  ＭＤ再生装置
２００  ＭＤ録再装置
【図１】
0003711614.tif 000002
【図２】
0003711614.tif 000003
【図３】
0003711614.tif 000004
【図４】
0003711614.tif 000005